(57)【特許請求の範囲】
【請求項１】
容器本体１１に取付けられると共に、筒形状の流出口１３を有するキャップ本体１２と、
筒部２２と上面部２３を有する下面が開口した筒形状で、前記筒形状の流出口１３の外周面に嵌合して取付けられ、その流出口１３を密閉する蓋１４と、
該蓋１４と前記キャップ本体１２を、その蓋１４が流出口１３を密閉する取付け位置と、この流出口１３よりも上方の取り外し位置と、その流出口１３から内容物を流出する際に邪魔にならない退避位置とに亘って移動自在で、かつ自由状態では蓋１４が取り外し位置で、外力が作用すると蓋１４が取付け位置、退避位置に移動するように連結する連結帯１５と、
前記蓋１４とキャップ本体１２に設けられ、蓋１４を退避位置に保持する保持手段を備え、
前記連結帯１５は弾性材料で、自由状態において流出口１３に向けてほぼ横向きＵ字形状に湾曲した形状で、
前記保持手段は、蓋１４に設けた突部と、キャップ本体１２に設けられ前記突部が嵌合する凹部を備え、
前記凹部と連結帯１５のキャップ本体取付部がキャップ本体１２の周方向にほぼ同一位置であることを特徴とするキャップ。
【請求項２】
容器本体１１に取付けられると共に、筒形状の流出口１３を有するキャップ本体１２と、
筒部２２と上面部２３を有する下面が開口した筒形状で、前記筒形状の流出口１３の外周面に嵌合して取付けられ、その流出口１３を密閉する蓋１４と、
該蓋１４と前記キャップ本体１２を、その蓋１４が流出口１３を密閉する取付け位置と、この流出口１３よりも上方の取り外し位置と、その流出口１３から内容物を流出する際に邪魔にならない退避位置とに亘って移動自在で、かつ自由状態では蓋１４が取り外し位置で、外力が作用すると蓋１４が取付け位置、退避位置に移動するように連結する連結帯１５と、
前記蓋１４とキャップ本体１２に設けられ、蓋１４を退避位置に保持する保持手段を備え、
前記連結帯１５は弾性材料で、自由状態において流出口１３に向けてほぼ横向きＵ字形状に湾曲した形状で、
前記保持手段は、蓋１４に設けた突条と、キャップ本体１２に設けられ前記突条が嵌合する溝を備え、
前記溝と連結帯１５のキャップ本体取付部がキャップ本体１２の周方向にほぼ同一位置であることを特徴とするキャップ。
【請求項３】
容器本体１１に取付けられると共に、筒形状の流出口１３を有するキャップ本体１２と、
筒部２２と上面部２３を有する下面が開口した筒形状で、前記筒形状の流出口１３の外周面に嵌合して取付けられ、その流出口１３を密閉する蓋１４と、
該蓋１４と前記キャップ本体１２を、その蓋１４が流出口１３を密閉する取付け位置と、この流出口１３よりも上方の取り外し位置と、その流出口１３から内容物を流出する際に邪魔にならない退避位置とに亘って移動自在で、かつ自由状態では蓋１４が取り外し位置で、外力が作用すると蓋１４が取付け位置、退避位置に移動するように連結する連結帯１５と、
前記蓋１４と連結帯１５に設けられ、蓋１４を退避位置に保持する保持手段を備え、
前記連結帯１５は弾性材料で、自由状態において流出口１３に向けてほぼ横向きＵ字形状に湾曲した形状で、
前記保持手段は、蓋１４に設けた一対の突片３２が前記連結帯１５の一部分に嵌まり合うようにしたことを特徴とするキャップ。
【発明の詳細な説明】
【０００１】
【発明の属する技術分野】
本発明は、粉体や液体などを入れる容器のキャップに関する。
【０００２】
【従来の技術】
容器本体に取付けられるキャップとしては、流出口を有するものが知られている。
このキャップであれば、容器本体からキャップを外すことなしに流出口から内容物を流出できる。
しかしながら、前述のキャップであると流出口から異物が容器本体内に混入したり、倒れた場合などに内容物が流出口から流れ出てしまう恐れがある。
このことを解消するために、流出口を密閉する蓋を備えたキャップが提案されているが、その蓋を外した時に蓋を紛失することがある。
【０００３】
そこで、図８に示すキャップが提案される。
このキャップ１は、容器本体２に取付けられるキャップ本体３と、このキャップ本体３の天面部３ａの流出口４を密閉する蓋５を備え、この蓋５を連結帯６でキャップ本体３の側面部３ｂに一体的に取付けた形態である。
このキャップ１であれば、蓋５がキャップ本体３に一体的に支持されるから、その蓋５を紛失することがない。
【０００４】
【発明が解決しようとする課題】
前述のキャップにおいては、蓋５を片手で容易に流出口４に取付け、取り外しできることが好ましい。
このために、前記連結帯６を弾性材料によってほぼＣ字形状とし、その連結帯６を弾性変位させて蓋５を図８に仮想線で示すように流出口４に嵌合して取付け、その蓋５を流出口４から取り外しすると連結帯６が弾性復元して図８に実線で示すように蓋５が流出口４よりも上方の取り外し位置に移動するようにしている。
このようにすることで、取り外し位置の蓋５を押して流出口４に向けて移動することで流出口４に嵌合して取付けできる。
【０００５】
前述のキャップ１を備えた容器は、容器本体２を手で持ってキャップ１が下向きとなるようにすることで流出口４から内容物を流出したり、容器本体２を手で押しつぶすことで内容物を流出口４から流出している。
いずれにしても、取り外し位置の蓋５が出入口４の上方に位置しているので、内容物を流出口４から流出する際に蓋５が邪魔になるし、流出した内容物が蓋５に付着することがある。
このように、蓋５に内容物が付着すると、内容物の流出が終了した後にその蓋５を流出口４に向けて移動して取付ける際に、手を汚すことがある。
【０００６】
前述のことを解消するには、連結帯６を自由状態で直線状、又は逆Ｃ字形状となるようにし、蓋５を取り外した状態で蓋５が流出口４と遠く離れるようにすることが考えられる。
しかし、このようにすると取り外し位置の蓋５を流出口４に嵌合して取付ける操作がやりづらくなってしまう。
また、蓋５と連結帯６の一部分がキャップ本体３よりも大きく外側に突出するので、狭い場所で使用する時に邪魔になる。
【０００７】
さらに、前述のように連結帯６が自由状態で直線状、又は逆Ｃ字形状となるようにした場合でも、蓋５を取付け位置とした時には、その連結帯６が弾性変位してＣ字形状となる。
このために、連結帯６の弾性変位度合が著しく大きく、その使用材料が高価格となる。
また、連結帯６の形状や厚みを考えて前述のようにすると、経時変化（温度高低や使用操作）によって自由状態でＣ字形状に近づき、取り外し位置の蓋５が流入口４に接近してしまう。
【０００８】
本発明は、前述の課題を解決するためになされたもので、その目的は、内容物を流出する際に蓋が邪魔にならないこと、蓋を簡単に取付け、取外し操作できること、狭い場所での使用時に蓋が邪魔にならないこと、連結帯の使用材料が低価格であること、経時変化で蓋が流出口に近づくことがないこと、を満足した容器のキャップを提供することである。
【０００９】
【課題を解決するための手段】
第１の発明は、容器本体１１に取付けられると共に、筒形状の流出口１３を有するキャップ本体１２と、
筒部２２と上面部２３を有する下面が開口した筒形状で、前記筒形状の流出口１３の外周面に嵌合して取付けられ、その流出口１３を密閉する蓋１４と、
該蓋１４と前記キャップ本体１２を、その蓋１４が流出口１３を密閉する取付け位置と、この流出口１３よりも上方の取り外し位置と、その流出口１３から内容物を流出する際に邪魔にならない退避位置とに亘って移動自在で、かつ自由状態では蓋１４が取り外し位置で、外力が作用すると蓋１４が取付け位置、退避位置に移動するように連結する連結帯１５と、
前記蓋１４とキャップ本体１２に設けられ、蓋１４を退避位置に保持する保持手段を備え、
前記連結帯１５は弾性材料で、自由状態において流出口１３に向けてほぼ横向きＵ字形状に湾曲した形状で、
前記保持手段は、蓋１４に設けた突部と、キャップ本体１２に設けられ前記突部が嵌合する凹部を備え、
前記凹部と連結帯１５のキャップ本体取付部がキャップ本体１２の周方向にほぼ同一位置であることを特徴とするキャップである。
【００１０】
第２の発明は、容器本体１１に取付けられると共に、筒形状の流出口１３を有するキャップ本体１２と、
筒部２２と上面部２３を有する下面が開口した筒形状で、前記筒形状の流出口１３の外周面に嵌合して取付けられ、その流出口１３を密閉する蓋１４と、
該蓋１４と前記キャップ本体１２を、その蓋１４が流出口１３を密閉する取付け位置と、この流出口１３よりも上方の取り外し位置と、その流出口１３から内容物を流出する際に邪魔にならない退避位置とに亘って移動自在で、かつ自由状態では蓋１４が取り外し位置で、外力が作用すると蓋１４が取付け位置、退避位置に移動するように連結する連結帯１５と、
前記蓋１４とキャップ本体１２に設けられ、蓋１４を退避位置に保持する保持手段を備え、
前記連結帯１５は弾性材料で、自由状態において流出口１３に向けてほぼ横向きＵ字形状に湾曲した形状で、
前記保持手段は、蓋１４に設けた突条と、キャップ本体１２に設けられ前記突条が嵌合する溝を備え、
前記溝と連結帯１５のキャップ本体取付部がキャップ本体１２の周方向にほぼ同一位置であることを特徴とするキャップである。
【００１１】
第３の発明は、容器本体１１に取付けられると共に、筒形状の流出口１３を有するキャップ本体１２と、
筒部２２と上面部２３を有する下面が開口した筒形状で、前記筒形状の流出口１３の外周面に嵌合して取付けられ、その流出口１３を密閉する蓋１４と、
該蓋１４と前記キャップ本体１２を、その蓋１４が流出口１３を密閉する取付け位置と、この流出口１３よりも上方の取り外し位置と、その流出口１３から内容物を流出する際に邪魔にならない退避位置とに亘って移動自在で、かつ自由状態では蓋１４が取り外し位置で、外力が作用すると蓋１４が取付け位置、退避位置に移動するように連結する連結帯１５と、
前記蓋１４と連結帯１５に設けられ、蓋１４を退避位置に保持する保持手段を備え、
前記連結帯１５は弾性材料で、自由状態において流出口１３に向けてほぼ横向きＵ字形状に湾曲した形状で、
前記保持手段は、蓋１４に設けた一対の突片３２が前記連結帯１５の一部分に嵌まり合うようにしたことを特徴とするキャップである。
【００１２】
【作用】
第１の発明によれば、流出口１３から取り外した蓋１４を、その蓋１４の突部をキャップ本体１２の凹部に嵌合して退避位置に保持することで、容器本体１１の内容物を流出口１３から流出する際に蓋１４が邪魔にならない。
また、蓋１４の突部をキャップ本体１２の凹部から外して保持を解除することで退避位置の蓋１４が取り外し位置に復帰するから、その蓋１４を流出口１３に向けて移動することで取付け位置として流出口１３を密閉でき、蓋１４の取付け操作が容易である。
また、取付け位置の蓋１４を流出口１３から離脱することで蓋１４が取り外し位置に復帰し、その取り外し位置の蓋１４を退避位置に移動して前述のように保持でき、その蓋１４の取り外し操作が容易である。
また、連結帯１５の自由状態の時に蓋１４が取り外し位置となり、この取り外し位置から取付け位置、退避位置に移動するので、連結帯１５の変位度合が少なく、その材料を安価にできると共に、経時変化によって蓋１４が流出口１３に近づく方向に動くことがなく、内容物を流出する際に蓋１４が邪魔にならない。
また、退避位置の蓋１４は保持手段によってキャップ本体１２に保持され、その蓋１４がキャップ本体１２から大きく突出することがなく、狭い場所での使用時に蓋１４が邪魔にならない。
また、蓋１４の取付け位置、取り外し位置、退避位置が連結帯１５の湾曲方向にほぼ一直線に連続するので、連結帯１５を湾曲方向に順次弾性変位、弾性復元させることで蓋１４が取付け位置、取り外し位置、退避位置に移動し、蓋１４を移動し易いと共に、連結帯１５に無理な力が作用せずに耐久性が向上する。
【００１３】
第２の発明によれば、流出口１３から取り外した蓋１４を、その蓋１４の突条をキャップ本体１２の溝に嵌合して退避位置に保持することで、容器本体１１の内容物を流出口１３から流出する際に蓋１４が邪魔にならない。
また、蓋１４の突条をキャップ本体１２の溝から外して保持を解除することで退避位置の蓋１４が取り外し位置に復帰するから、その蓋１４を流出口１３に向けて移動することで取付け位置として流出口１３を密閉でき、蓋１４の取付け操作が容易である。
また、取付け位置の蓋１４を流出口１３から離脱することで蓋１４が取り外し位置に復帰し、その取り外し位置の蓋１４を退避位置に移動して前述のように保持でき、その蓋１４の取り外し操作が容易である。
また、連結帯１５の自由状態の時に蓋１４が取り外し位置となり、この取り外し位置から取付け位置、退避位置に移動するので、連結帯１５の変位度合が少なく、その材料を安価にできると共に、経時変化によって蓋１４が流出口１３に近づく方向に動くことがなく、内容物を流出する際に蓋１４が邪魔にならない。
また、退避位置の蓋１４は保持手段によってキャップ本体１２に保持され、その蓋１４がキャップ本体１２から大きく突出することがなく、狭い場所での使用時に蓋１４が邪魔にならない。
また、蓋１４の取付け位置、取り外し位置、退避位置が連結帯１５の湾曲方向にほぼ一直線に連続するので、連結帯１５を湾曲方向に順次弾性変位、弾性復元させることで蓋１４が取付け位置、取り外し位置、退避位置に移動し、蓋１４を移動し易いと共に、連結帯１５に無理な力が作用せずに耐久性が向上する。
【００１４】
第３の発明によれば、流出口１３から取り外した蓋１４を、その蓋１４の一対の突片３２を連結帯１５の一部分に嵌めて退避位置に保持することで、容器本体１１の内容物を流出口１３から流出する際に蓋１４が邪魔にならない。
また、蓋１４の一対の突片３２を連結帯１５から外して保持を解除することで退避位置の蓋１４が取り外し位置に復帰するから、その蓋１４を流出口１３に向けて移動することで取付け位置として流出口１３を密閉でき、蓋１４の取付け操作が容易である。
また、取付け位置の蓋１４を流出口１３から離脱することで蓋１４が取り外し位置に復帰し、その取り外し位置の蓋１４を退避位置に移動して前述のように保持でき、その蓋１４の取り外し操作が容易である。
また、連結帯１５の自由状態の時に蓋１４が取り外し位置となり、この取り外し位置から取付け位置、退避位置に移動するので、連結帯１５の変位度合が少なく、その材料を安価にできると共に、経時変化によって蓋１４が流出口１３に近づく方向に動くことがなく、内容物を流出する際に蓋１４が邪魔にならない。
また、退避位置の蓋１４は保持手段によって連結帯１５に保持され、その蓋１４がキャップ本体１２から大きく突出することがなく、狭い場所での使用時に蓋１４が邪魔にならない。
また、保持手段を、蓋１４に設けた一対の突片３２を連結帯１５に嵌めるようにしたので、蓋１４の取付け位置、取り外し位置、退避位置が連結帯１５の湾曲方向にほぼ一直線に連続するので、連結帯１５を湾曲方向に順次弾性変位、弾性復元させることで蓋１４が取付け位置、取り外し位置、退避位置に移動し、蓋１４を移動し易いと共に、連結帯１５に無理な力が作用せずに耐久性が向上する。
しかも、キャップ本体１２の形状が保持手段によって制約を受けることがなく、キャップ本体１２の形状を容器本体１１に応じて自由に設定できる。
【００１５】
【発明の実施の形態】
図１に示すように、キャップ１０は容器本体１１に取付けられるキャップ本体１２と、そのキャップ本体１２に設けた流出口１３と、この流出口１３に着脱自在で流出口１３を密閉する蓋１４と、この蓋１４をキャップ本体１２に連結する連結帯１５を備え、前記連結帯１５は、自由状態（外力が作用しない状態）で蓋１４が例えば図１に実線で示す流出口１３よりも上方、好ましくは上方で流出口１３より僅かに離隔した斜め上方の取り外し位置となり、外力が作用すると蓋１４が図１に二点鎖線で示す流出口１３を密閉する取付け位置と、例えば図２と図３に実線で示す退避位置とに亘って移動するものである。
前記蓋１４とキャップ本体１２又は連結帯１５に、蓋１４を退避位置に保持する保持手段が設けてある。
前記退避位置とは、流出口１３から内容物を流出する際に邪魔にならない位置、具体的には流出口１３よりも下方の位置、好ましくは流出口１３よりも下方で、かつ取り外し位置よりも流出口１３と離れた位置である。
【００１６】
前記連結帯１５が自由状態（外力が作用しない状態）の時に蓋１４は取り外し位置となる。
前述の自由状態の連結帯１５に外力を加えることで、その連結帯１５が変位して蓋１４は取付け位置に移動し、その外力がなくなると連結帯１５は自由状態に復元し、蓋１４が取り外し位置に復帰する。
前述の自由状態の連結帯１５に外力を加えることで、その連結帯１５が変位して蓋１４が退避位置に移動し、その外力がなくなると連結帯１５は自由状態に復元し、蓋１４が取り外し位置に復帰する。
【００１７】
このようであるから、取り外し位置の蓋１４を流出口１３に向けて移動すると流出口１３に連結されて取付け位置に保持される。
蓋１４を流出口１３から離脱すると連結帯１５が自由状態に復元し、蓋１４は取り外し位置に復帰する。
取り外し位置の蓋１４を退避位置に向けて移動することで保持手段によって蓋１４が退避位置に保持される。
その保持手段による保持を解除すると連結帯１５が自由状態に復元し、蓋１４が取り外し位置に復帰する。
【００１８】
このようであるから、蓋１４を退避位置に保持することで、容器本体１１内の内容物を流出口１３から流出する際に、蓋１４が邪魔にならない。
また、保持手段を解除することで蓋１４が取付け位置に復帰するから、その蓋１４を流出口１３に向けて移動することで取付け位置として流出口１３を密閉でき、蓋１４の取付け操作が容易である。
また、取付け位置の蓋１４を流出口１３から離脱することで蓋１４が取り外し位置に復帰し、その取り外し位置の蓋１４を退避位置に移動することで蓋１４を退避位置に保持でき、蓋１４の取外し操作が容易である。
また、連結帯１５が自由状態の時に蓋１４が取り外し位置となり、その取り外し位置から取付け位置、退避位置に移動するようにしたので、その連結帯１５の変位が少なく、その材料を安価とすることができるし、経時変化によって蓋１４が流出口１３に近づく方向に動くことがなく、内容物を流出する際に蓋１４が邪魔にならない。
【００１９】
次に各部の具体形状の一例を説明するが、これに限ることはない。
前記キャップ本体１２は天面部２０と側面部２１で下面が開口した筒形状で、その側面部２１が容器本体１１の口部に着脱自在に取付けられる。例えば、側面部２１の内周面に雌ねじを形成し、容器本体１１の口部の外周面に雄ねじを形成し、その雌ねじを雄ねじに螺合して取付ける。
前記天面部２０のほぼ中央部に流出口１３が設けてある。
この流出口１３は天面部２０の一側寄りに設けても良いし、側面部２１に設けても良い。
前記流出口１３は天面部２０よりも突出した筒形状である。
なお、天面部２０を先細筒形状とし、その先端開口部分を流出口１３としても良い。
【００２０】
前記蓋１４は、流出口１３に嵌合して密閉する形状である。例えば、筒部２２と上面部２３を有する下面が開口した筒形状で、前記筒形状の流出口１３の外周面に嵌合して密閉する。
【００２１】
前記連結帯１５は弾性材料によって断面矩形状の長尺材で、キャップ本体１２（実施の形態では側面部２１）と蓋１４（実施の形態では筒部２２）に連結してある。例えば一体的に連結してある。
具体的には、合成樹脂によってキャップ本体１２、連結帯１５、蓋１４が一体成形されている。
前記連結帯１５の断面形状は円形、半円形、三角形など任意の形状である。
【００２２】
図１に示す実施の形態では、連結帯１５は自由状態の時に流出口１３に向うほぼ横向きＵ字形状に湾曲した形状で、蓋１４は流出口１３よりも上方で僅かに離隔した（つまり、流出口１３の斜め上方位置）取り外し位置となる。
よって、蓋１４を斜め下方に向けて移動して連結体１５を弾性変位することで流出口１３に嵌合する。
【００２３】
前記保持手段は、蓋１４（実施の形態では筒部２２）に設けた係合部３０（例えば突部）と、キャップ本体１２（実施の形態では側面部２１）に設けた被係合部３１（例えば凹部）で構成され、図２と図３に示すように、その係合部３０を被係合部３１に係合することで蓋１４が退避位置に保持される。
前記係合部３０を被係合部３１から離脱することで連結帯１５が弾性復元し、蓋１４は取り外し位置に復元する。
【００２４】
この実施の形態では被係合部３１と連結帯１５のキャップ本体連結部が側面部２１（キャップ本体１２）の周方向にほぼ同一、好ましくは同一で、図２に示すように連結帯１５を湾曲方向に沿ってほぼＣ形状となるように弾性変位することによって、係合部３０が被係合部３１に係合する。
このようにすることで、蓋体１４の取付け位置、取り外し位置、退避位置が連結帯１５の湾曲方向に沿ったほぼ一直線に連続するから、連結帯１５の弾性変位、弾性復元がスムーズで、蓋１４を移動し易いと共に、連結帯１５に無理な力が作用せずに耐久性が向上する。
【００２５】
前記被係止部３１は連結体１５の連結部に対して周方向に位置をずらした位置に設けても良いし、その被係止部３１は天面部２０に設けても良い。
【００２６】
前記係合部３０を突条、前記被係合部３１を溝形状としても良い。
例えば、図４と図５に示すように、蓋１４の筒部２２に平面台形状の突条を一体的に設けて係合部３０とする。キャップ本体１２の側面部２１に平面台形状の溝を形成して被係合部３１とする。この溝は天面部２０に開口している。
【００２７】
前記被係合部３１は連結帯１５に設けても良い。このようにすれば、蓋１４の取付け位置、取り外し位置、退避位置が連結帯１５の湾曲方向に沿ったほぼ一直線に連続する。
例えば、図６、図７に示すように、蓋１４に一対の突片３２を設けて係合部３０を設け、この一対の突片３２を連結体１５の一部分に押しつけることで一対の突片３２が拡開変形して連結帯１５の一部分に嵌まり合うように係合するようにする。つまり、連結帯１５の一部分が被係合部３１とする。
連結帯１５の一部分に嵌まり合うように係合した一対の突片３２は、蓋１４を連結帯１５から離れる方向に引張ることで拡開変形して連結帯１５から抜け出しする。
【００２８】
【発明の効果】
請求項１に係る発明によれば、流出口１３から取り外した蓋１４を、その蓋１４の突部をキャップ本体１２の凹部に嵌合して退避位置に保持することで、容器本体１１の内容物を流出口１３から流出する際に蓋１４が邪魔にならない。
また、蓋１４の突部をキャップ本体１２の凹部から外して保持を解除することで退避位置の蓋１４が取り外し位置に復帰するから、その蓋１４を流出口１３に向けて移動することで取付け位置として流出口１３を密閉でき、蓋１４の取付け操作が容易である。
また、取付け位置の蓋１４を流出口１３から離脱することで蓋１４が取り外し位置に復帰し、その取り外し位置の蓋１４を退避位置に移動して前述のように保持でき、その蓋１４の取り外し操作が容易である。
また、連結帯１５の自由状態の時に蓋１４が取り外し位置となり、この取り外し位置から取付け位置、退避位置に移動するので、連結帯１５の変位度合が少なく、その材料を安価にできると共に、経時変化によって蓋１４が流出口１３に近づく方向に動くことがなく、内容物を流出する際に蓋１４が邪魔にならない。
また、退避位置の蓋１４は保持手段によってキャップ本体１２に保持され、その蓋１４がキャップ本体１２から大きく突出することがなく、狭い場所での使用時に蓋１４が邪魔にならない。
また、蓋１４の取付け位置、取り外し位置、退避位置が連結帯１５の湾曲方向にほぼ一直線に連続するので、連結帯１５を湾曲方向に順次弾性変位、弾性復元させることで蓋１４が取付け位置、取り外し位置、退避位置に移動し、蓋１４を移動し易いと共に、連結帯１５に無理な力が作用せずに耐久性が向上する。
【００２９】
請求項２に係る発明によれば、流出口１３から取り外した蓋１４を、その蓋１４の突条をキャップ本体１２の溝に嵌合して退避位置に保持することで、容器本体１１の内容物を流出口１３から流出する際に蓋１４が邪魔にならない。
また、蓋１４の突条をキャップ本体１２の溝から外して保持を解除することで退避位置の蓋１４が取り外し位置に復帰するから、その蓋１４を流出口１３に向けて移動することで取付け位置として流出口１３を密閉でき、蓋１４の取付け操作が容易である。
また、取付け位置の蓋１４を流出口１３から離脱することで蓋１４が取り外し位置に復帰し、その取り外し位置の蓋１４を退避位置に移動して前述のように保持でき、その蓋１４の取り外し操作が容易である。
また、連結帯１５の自由状態の時に蓋１４が取り外し位置となり、この取り外し位置から取付け位置、退避位置に移動するので、連結帯１５の変位度合が少なく、その材料を安価にできると共に、経時変化によって蓋１４が流出口１３に近づく方向に動くことがなく、内容物を流出する際に蓋１４が邪魔にならない。
また、退避位置の蓋１４は保持手段によってキャップ本体１２に保持され、その蓋１４がキャップ本体１２から大きく突出することがなく、狭い場所での使用時に蓋１４が邪魔にならない。
また、蓋１４の取付け位置、取り外し位置、退避位置が連結帯１５の湾曲方向にほぼ一直線に連続するので、連結帯１５を湾曲方向に順次弾性変位、弾性復元させることで蓋１４が取付け位置、取り外し位置、退避位置に移動し、蓋１４を移動し易いと共に、連結帯１５に無理な力が作用せずに耐久性が向上する。
【００３０】
請求項３に係る発明によれば、流出口１３から取り外した蓋１４を、その蓋１４の一対の突片３２を連結帯１５の一部分に嵌めて退避位置に保持することで、容器本体１１の内容物を流出口１３から流出する際に蓋１４が邪魔にならない。
また、蓋１４の一対の突片３２を連結帯１５から外して保持を解除することで退避位置の蓋１４が取り外し位置に復帰するから、その蓋１４を流出口１３に向けて移動することで取付け位置として流出口１３を密閉でき、蓋１４の取付け操作が容易である。
また、取付け位置の蓋１４を流出口１３から離脱することで蓋１４が取り外し位置に復帰し、その取り外し位置の蓋１４を退避位置に移動して前述のように保持でき、その蓋１４の取り外し操作が容易である。
また、連結帯１５の自由状態の時に蓋１４が取り外し位置となり、この取り外し位置から取付け位置、退避位置に移動するので、連結帯１５の変位度合が少なく、その材料を安価にできると共に、経時変化によって蓋１４が流出口１３に近づく方向に動くことがなく、内容物を流出する際に蓋１４が邪魔にならない。
また、退避位置の蓋１４は保持手段によって連結帯１５に保持され、その蓋１４がキャップ本体１２から大きく突出することがなく、狭い場所での使用時に蓋１４が邪魔にならない。
また、保持手段を、蓋１４に設けた一対の突片３２を連結帯１５に嵌めるようにしたので、蓋１４の取付け位置、取り外し位置、退避位置が連結帯１５の湾曲方向にほぼ一直線に連続するので、連結帯１５を湾曲方向に順次弾性変位、弾性復元させることで蓋１４が取付け位置、取り外し位置、退避位置に移動し、蓋１４を移動し易いと共に、連結帯１５に無理な力が作用せずに耐久性が向上する。
しかも、キャップ本体１２の形状が保持手段によって制約を受けることがなく、キャップ本体１２の形状を容器本体１１に応じて自由に設定できる。
【図面の簡単な説明】
【図１】本発明の第１の実施の形態を示す斜視図である。
【図２】蓋を退避位置で保持した状態の一部破断正面図である。
【図３】蓋を退避位置で保持した状態の斜視図である。
【図４】本発明の第２の実施の形態を示す斜視図である。
【図５】蓋を退避位置で保持した状態の一部破断正面図である。
【図６】本発明の第３の実施の形態を示す斜視図である。
【図７】蓋を退避位置で保持した状態の一部破断正面図である。
【図８】従来のキャップの一例を示す斜視図である。
【符号の説明】
１０…キャップ、１１…容器本体、１２…キャップ本体、１３…流出口、１４…蓋、１５…連結帯、３０…係合部、３１…被係合部。
【図１】
0004257693.tif 000002
【図２】
0004257693.tif 000003
【図３】
0004257693.tif 000004
【図４】
0004257693.tif 000005
【図５】
0004257693.tif 000006
【図６】
0004257693.tif 000007
【図７】
0004257693.tif 000008
【図８】
0004257693.tif 000009